(57)【要約】      （修正有）【課題】ズボンにすじを付けることなく、ズボンのずり落ちを確実に防止することを可能にしたハンガーを提供する。【解決手段】フック８が上方に連設された中央部３と、中央部３の左右側のそれぞれに張り出した左右の張り出し部４と、左右の張り出し部４の下端間を橋架した横杆７を備えた基体２と、基体２内に配設した押え部材９を具備し、押え部材９は、押え片１０と、押え片１０の端部と基体２を連結する。先端部は押え片１０の端部に折り曲げ自在に連結して基端部は基体２に折り曲げ自在に連結したアーチ状の一対の支持片１１を具備し、押え片１０を下降することで押え片１０を横杆７に当接可能にするとともに、押え片１０を横杆７に当接した際に、支持片１１によって押え片１０を押圧するとともにその状態で押え片１０の位置を固定可能にする。【選択図】図１
0003177580.tif 000002
【実用新案登録請求の範囲】
【請求項１】
フック（８）が上方に連設された中央部（３）と、該中央部（３）の左右側のそれぞれに張り出した左右の張り出し部（４、４ｂ、４ｃ）と、該左右の張り出し部（４、４ｂ、４ｃ）の下端間を橋架した、ズボンを吊り下げる横杆（７）と、を備えた基体（２）と、
該基体（２）内に配設した押え部材（９）と、を具備して、
前記押え部材（９）は、
押え片（１０）と、
先端部が前記押え片（１０）の端部に折り曲げ自在に連結されて、基端部は前記基体（２）に折り曲げ自在に連結されることで前記押え片（１０）の端部と前記基体（２）とを連結したアーチ状の一対の支持片（１１）と、を具備して、
前記押え片（１０）を下降することで押え片（１０）を前記横杆（７）に当接可能にするとともに、前記押え片（１０）を下降させて押え片（１０）を前記横杆（７）に当接した際に、前記支持片（１１）によって前記押え片（１０）を押圧するとともに、その状態で押え片（１０）の位置を固定可能にした、ことを特徴とするプッシュストッパー付ハンガー。
【請求項２】
前記押え片（１０）は、長尺の板状であることを特徴とする請求項１に記載のプッシュストッパー付ハンガー。
【請求項３】
前記押え片（１０）の長さは前記支持片（１１）の長さの約１．５倍であることを特徴とする請求項１又は請求項２に記載のプッシュストッパー付ハンガー。
【請求項４】
前記左右の張り出し部（４）はそれぞれ、前記中央部（３）の左右側のそれぞれに左右側の斜め下方に向けて傾斜させて連設した支持部（５）と、該支持部（５）のそれぞれの下端に下方に向けて連設した、下端間に横杆（７）が橋架される側部（６）とを具備して、
前記支持片（１１）のそれぞれの基端を、前記側部（６）に連設したことを特徴とする請求項１乃至請求項３のいずれかに記載のプッシュストッパー付ハンガー。
【請求項５】
前記左右の張り出し部（４ｂ）はそれぞれ、前記中央部（３）の左右側のそれぞれに左右側の水平方向に向けて連設した支持部（５）と、該支持部（５）のそれぞれの下端に下方に向けて連設した、下端間に横杆（７）が橋架される側部（６）とを具備して、
前記支持片（１１）のそれぞれの基端を、前記側部（６）に連設したことを特徴とする請求項１乃至請求項３のいずれかに記載のプッシュストッパー付ハンガー。
【請求項６】
前記左右の張り出し部（４ｃ）はそれぞれ、前記中央部（３）の左右側のそれぞれに左右側の斜め下方に向けて傾斜させて連設した、下端間に横杆（７）が橋架される支持部（５）を具備して、
前記支持片（１１）のそれぞれの基端を、前記支持部（５）に連設したことを特徴とする請求項１乃至請求項３のいずれかに記載のプッシュストッパー付ハンガー。
【請求項７】
全体を一体成型により形成したことを特徴とする請求項１乃至請求項６のいずれかに記載のプッシュストッパー付ハンガー。
【考案の詳細な説明】
【技術分野】
【０００１】
本考案はプッシュストッパー付ハンガーに係り、より詳しくは、ズボンを吊り下げる横杆を備えたハンガーにおいて、横杆に吊り下げたズボンにスジを付けることなく、吊り下げたズボンがずり落ちることを防止可能とするとともに、ズボンの固定を容易に行うことを可能にしたプッシュストッパー付ハンガーに関する。
【背景技術】
【０００２】
一般的に衣服を支持するためのハンガーには、衣服の肩部分を支持する衣服支持部の下端部分間に横杆を橋架して、この横杆にズボン吊り下げることを可能としたものが提供されている。
【０００３】
そして更に、単に横杆を設けたのみでは、運搬等によってハンガーが揺れ動いた場合に、横杆に吊り下げたズボン等がずり落ちてしまうため、このようなずり落ちを防止するために、横杆の端部の下側に、横杆の中央側へ向けて、かつ横杆と略平行にして挟持部を連設しており、これにより、横杆に吊り下げたズボン等の折り返し部近傍を挟持部にくぐらせ、挟持部と横杆でズボンを挟み込むことで、ズボンをハンガーに固定可能としている。
【０００４】
しかしながら、このように、単に挟持部と横杆でズボン等の折り返し部近傍を挟みこんだのみでは、何らかの原因で、吊り下げているズボン等の下端部分が引っ張られてしまった場合などは、挟持部及び横杆と摺動するようにしてズボン等がずり落ちてしまうことが考えられるために、過去においては、このようなズボンのずり落ちを有効に防止する方法が提案されてきた。
【０００５】
例えば登録第３０６５４４６号実用新案（文献２）では、針金製のハンガーにおいて、前後方向から見た場合に横杆（明細書における「吊り掛け軸」）と重なる配置で挟持部を設け、挟持部が横杆を弾性的に加圧するようにし、これにより、ズボン等を弾性力で保持することを可能としている。
【０００６】
また、実開平７−２７３８２号公報（文献３）に開示されているハンガーでは、２本のズボン挟持片を用いて、この挟持片を、横杆の端部下方に、横杆に並行で高さが異なる位置に連設し、かつ、挟持片の先端部よりの部分を互いに交差させており、これにより、横杆に吊り下げたズボン等を挟持片で挟むことを可能としている。
【０００７】
更に、特開平１０−１６５２８７号公報（文献１）に開示されているハンガーでは、断面Ｚ型形状に形成したズボン保持片を設けており、段差上の上段部に相当するズボン保持部とズボンの胴部によって裾部側の折り返し部を狭着可能としている。
【０００８】
更にその他に、横杆に吊るしたズボンを上側から押さえ部材によって押圧する方法を採用したハンガーも過去において提案されている。
【先行技術文献】
【特許文献】
【０００９】
【特許文献１】特開平１０−１６５２８７号公報
【特許文献２】実用新案登録第３０６５４４６号公報
【特許文献３】実開平７−２７３８２号公報
【特許文献４】特開２００２−１３６４１８号公報
【特許文献５】実用新案登録第３０５８４４３号公報
【特許文献６】実開平６−７９３７６号公報
【考案の概要】
【考案が解決しようとする課題】
【００１０】
しかしながら、挟持部と横杆でズボンを挟み込むことでズボンをハンガーに固定する方法では、挟み込むことによってズボンにスジが付いてしまい、ズボンの見栄えが悪くなってしまうという問題点がある。
【００１１】
一方、ズボンのずり落ちを確実に防止するために、挟持部と横杆によるズボンの挟持を強くする必要があるが、挟持を強くするとズボンに付くすじが深くなってしまい、更に見栄えが悪くなってしまうという問題点が考えられる。
【００１２】
この点、横杆に吊るしたズボンを押え部材により上側から押圧する方法では、ズボンにすじが付くことは防止できるが、前述の従来の方法では製造コストが高くなってしまうか、あるいは効果が低いという問題点が指摘できる。
【００１３】
即ち、特開２００２−１３６４１８号公報（文献４）に記載されているズボンハンガーでは、ズボン押えレバーをズボン押え用磁石によってズボン掛け板に引き付けて、この挟み付ける力でズボンを固定しているが、磁石を用いなければならないために構造が複雑になるとともに製造コストも上がってしまうという問題点が指摘できる。
【００１４】
また、実開平６−７９３７６号公報（文献６）に記載されているズボンハンガーでは、Ｖ型溝棒とこのＶ溝に係合する楔状押具を具備して、圧縮ばねを用いて楔状押具をＶ型溝棒に係止する構造としており、前述の文献４に記載のズボンハンガーと同様に、構造が複雑になるとともに製造コストも上がってしまうという問題点が指摘できる。
【００１５】
この点、実用新案登録第３０５８４４３号公報（文献５）に記載のハンガーでは、押えレバーによってズボンを上側から抑える構成であるため、構造は簡単で製造コストも前述の文献４、文献６のハンガーに比較すると抑えることができるが、文献５のハンガーでは、押えレバーを左傾斜部又は右傾斜部のいずれかに形成しているために、ズボンを押える力が弱く、ズボンのずり落ちを確実に防止することができない問題点が考えられる。
【００１６】
そこで、本考案は、ズボンを吊り下げる横杆を備えたハンガーにおいて、横杆に吊るしたズボンにすじを付けることなく、ズボンのずり落ちを確実に防止することができるとともに、ズボンの固定を容易に行うことを可能にしたハンガーを提供することを課題としている。
【課題を解決するための手段】
【００１７】
本考案のプッシュストッパー付ハンガーは、
フックが上方に連設された中央部と、該中央部の左右側のそれぞれに張り出した左右の張り出し部と、該左右の張り出し部の下端間を橋架した、ズボンを吊り下げる横杆と、を備えた基体と、
該基体内に配設した押え部材と、を具備して、
前記押え部材は、
押え片と、
先端部が前記押え片の端部に折り曲げ自在に連結されて、基端部は前記基体に折り曲げ自在に連結されることで前記押え片の端部と前記基体とを連結したアーチ状の一対の支持片と、を具備して、
前記押え片を下降することで押え片を前記横杆に当接可能にするとともに、押え片を下降させて押え片を横杆に当接した際に、支持片によって前記押え片を押圧するとともに、その状態で押え片の位置を固定可能にした、ことを特徴としている。
【考案の効果】
【００１８】
本考案のプッシュストッパー付ハンガーでは、フックが上方に連設された中央部とこの中央部の左右側のそれぞれに張り出した左右の張り出し部とこの左右の張り出し部の下端間を橋架した横杆を備えて横杆にズボンを吊り下げることとした基体内に押え部材を配設しており、この押え部材は、押え片と、押え片の端部と基体とを連結したアーチ状の一対の支持片を具備して、押え片を下降することで押え片を横杆に当接可能にするとともに、押え片を前記横杆に当接した際に、支持片によって押え片を押圧するとともにその状態で押え片の位置を固定可能にしている。
【００１９】
そのために、本考案のプッシュストッパー付ハンガーでは、ズボンを横杆に吊るした状態で押え片を下降して押え片を横杆に当接することのみで、横杆に当接した押え片の位置を固定することができる。
【００２０】
従って、本考案のプッシュストッパー付ハンガーは、挟持部と横杆でズボンを挟み込む従来のハンガーと異なり、ズボンにすじが付くことが無く、また、簡単な動作でズボンを横杆に固定して、ズボンのずり落ちを確実に防止することが可能である。
【図面の簡単な説明】
【００２１】
【図１】本考案のプッシュストッパー付ハンガーの実施例の正面図であり押え部材を上昇させている状態を示している。
【図２】本考案のプッシュストッパー付ハンガーの実施例の正面図であり押え部材を下降させている状態を示している。
【図３】図１におけるＡ−Ａ線断面図である。
【図４】本考案のプッシュストッパー付ハンガーの実施例における押え片を平面から示した図である。
【図５】本考案のプッシュストッパー付ハンガーの実施例における張り出し部の他の構成を説明するための図である。
【図６】本考案のプッシュストッパー付ハンガーの実施例における張り出し部の他の構成を説明するための図である。
【考案を実施するための形態】
【００２２】
本考案のプッシュストッパー付ハンガーは基体を有しており、この基体内に、ズボンを押えて固定するための押え部材を配設している。
【００２３】
そして、基体は中央部を有しており、この中央部には、上方に向けて、ハンガーをパイプ等の適宜の部材に吊るすためのフックが連設されている。
【００２４】
また、中央部の左右側にはそれぞれ、張り出し部が連設されており、この左右の張り出し部の下端間には、ズボンを吊り下げる横杆が橋架されている。
【００２５】
一方、基体内に配設されている押え部材は、横杆に吊るしたズボンを上側から押圧する押え片を有しており、この押え片は長尺の板状としており、この押え片の両端部と基体は、支持片によって連結されている。
【００２６】
そして、支持片はそれぞれ、先端部が押え片の端部に、ヒンジを介して折り曲げ自在に連結され、基端部は、ヒンジを介して、基体に折り曲げ自在に連結されており、全体をアーチ状としている。
【００２７】
更に、押え片は上下方向に移動自在とし、押え片を下降することで押え片を横杆に当接可能にしており、押え片を下降させて押え片を横杆に当接した際に、アーチ状とした支持片の屈曲率が大きくなって、支持片によって押え片を両側斜め上方から中央側へ押圧するとともに、支持片によって押圧されている状態で、押え片の位置を固定可能にしている。
【００２８】
ここで、押え片の長さを、支持片の長さの約１．５倍にするとよい。即ち、本考案者の実験によると、押え片の長さをその両側に連設さした支持片のそれぞれの長さの１．５倍程度にした場合において、押え片を下降したときには、支持片の屈曲率が最適になり、押え片が適度な圧力で横杆を押圧することが判明した。従って、押え片の長さを支持片の長さの約１．５倍にすることで、横杆に吊るしたズボンを適度な圧力で固定することが可能となる。
【００２９】
また、左右の張り出し部はそれぞれ、中央部の左右側のそれぞれに左右側の斜め下方に向けて傾斜させて連設した支持部と、この支持部のそれぞれの下端に下方に向けて連設した側部を具備して、側部の下端間に横杆を橋架するとともに、押え部材を構成する支持片のそれぞれの基端を、張り出し部を構成する側部に連設すると良い。
【００３０】
更に、左右の張り出し部の他の形態では、中央部の左右側のそれぞれに左右側に向けて支持部を連設し、この支持部のそれぞれの下端に下方に向けて側部を連設し、この側部の下端間に横杆を橋架し、押え部材を構成する支持片のそれぞれの基端を、側部に連設しても良い。
【００３１】
また、左右の張り出し部の更に他の形態では、中央部の左右側のそれぞれに左右側の斜め下方に向けて傾斜させて支持部を連設し、この支持部の下端間に横杆を橋架し、押え部材を構成する支持片のそれぞれの基端を、支持部に連設することとしても良い。
【００３２】
更にまた、ハンガーの全体を一体成型して形成するとよく、これにより製造コストを低く抑えることが可能となる。
【実施例１】
【００３３】
本実施例のプッシュストッパー付ハンガー（以下単に「ハンガー」と言う。）の実施例について図面を参照して説明すると、図１は本実施例のハンガーの正面図であり、図３は図１におけるＡ−Ａ線断面図である。
【００３４】
そして、図において１が本実施例のハンガーであり、本実施例のハンガー１は基体を有しており、この基体の上部には、上方に向けて、ハンガー１をパイプ等の適宜の部材に吊るすためのフックが連設されている。
【００３５】
即ち、図において２が基体であり、本実施例においてこの基体２は、中央部３を具備しており、この中央部３の上部に上方に向けて、前記フック８が連設されている。
【００３６】
次に、図において４は張り出し部である。即ち、本実施例において前記中央部３の左右の端部にはそれぞれ、前記中央部３の左右側に向けて、張り出し部４が連設されている。
【００３７】
ここで、前記左右の張り出し部４について説明すると、本実施例において前記張り出し部４はそれぞれ、前記中央部３の左右の端部のそれぞれに、正面視野において前記中央部３の左右側の斜め下方に向けて傾斜させて連設した支持部５を備えている。
【００３８】
そして、この支持部５の下端部にはそれぞれ、下方に向けて、側部６が連設され、この支持部５と側部６とで張り出し部４を構成している。
【００３９】
次に、図において７は横杆であり、この横杆７は、前記側部６の下端間に橋架されており、ズボンを吊り下げるために用いられる長尺物であり、本実施例においては正面視野において上側にわずかに湾曲させて緩やかな弓形状にしている。
【００４０】
そして、本実施例のハンガー１は、前記中央部３と張り出し部４と横杆７によって基体２が構成されており、前述したように、基体２の上部に、上方に向けてフック８が連設されている。
【００４１】
なお、本実施例において前記基体２は、前記中央部３の上端から横杆の下端までの寸法を１１０ｍｍとしており、前記側部６間の内径寸法は３３０ｍｍとし、更に、前記側部６の図１における上下方向の長さ寸法は約４５ｍｍとしている。
【００４２】
また、本実施例において前記基体２は、外周全域及び内周全域に沿って、前後方向に縁部２０１を突設している。
【００４３】
次に、図において９は、前記横杆７に吊るしたズボンを上側から押えて固定するための押え部材である。即ち、本実施例のハンガー１では、前記基体２内に押え部材９を配設し、この押え部材９で、横杆７に吊るしたズボンを上側から押えて、これによりズボンが横杆７からずり落ちることを防止している。
【００４４】
ここで、前記押え部材９について説明すると、本実施例において前記押え部材９は、横杆７に吊るしたズボンを押えるための押え片と、この押え片の両端に連設した支持片とを具備しており、前記基体２を構成する側部６に支持片を連設することで、押え部材９を前記基体２内に配設している。
【００４５】
即ち、図において１０が押え片であり、また、図４は、前記押え部材９における押え片１０の部分及びその近傍を上側から示した図であり、本実施例において前記押え片１０は、長尺の板状としており、図１における前後方向の中央部分には長手方向に沿って、補強用のリブ１００１が上方に向けて突設されている。
【００４６】
次に、図において１１が支持片であり、本実施例において前記支持片１１はそれぞれ、図３にも示されるように長尺の板状としており、前記押え片１０の両端部と基体２の側部６はそれぞれ、支持片１１によって連結されている。
【００４７】
そして、支持片１１はそれぞれ、全体を緩やかなアーチ状としており、先端部は押え片１０の端部に連設されており、押え片１０と支持片１１との連設部分は、上端部分のみを残して下側部分を切り欠いて第１ヒンジ部１２を形成し、この第１ヒンジ部１２を境にして、支持片１１を押え片１０に対して、あるいは支持片１１に対して押え片１０を、上下方向に折り曲げ自在としている。
【００４８】
一方、支持片１１の基端部は、基体２の側部６に折り曲げ自在に連設されており、本実施例においては支持片１１と側部６との連設箇所は、押え片１０に連設された先端部が位置する箇所よりも下方の位置とされており、これにより、押え部材９は全体として、正面視野において、アーチ状に似た形態としている。
【００４９】
また、本実施例において前記側部６の内周壁には、内周側に向けて取付片１３が突設されており、この取付片１３に前記支持片１１の基端部が連設され、支持片１１と取付片１３との連設部分は、上端部分のみを残して切り欠いて第２ヒンジ部１４を形成し、この第２ヒンジ部１４を境にして、支持片１１を取付片１３に対して、上下方向に折り曲げ自在としている。
【００５０】
従って、この構成によって本実施例においては、押え片１０を下方へ押圧すると、第１ヒンジ部１２を境に押え片１０が支持片１１に対して上方へ折り曲がるとともに、第２ヒンジ部１４を境に側部６に対して支持片１１が下方に折り曲がることで、押え片１０は、下降して横杆７に当接するとともに、押え片１０の両端に連設している支持片１１の先端も押え片１０とともに下降する
【００５１】
そして、本実施例のハンガー１では、前記押え片１０と横杆７間の高さ位置を調整することにより、押え片１０を下降させて押え片１０を横杆７に当接した際には、押え片１０を下降する前に比較して、アーチ状とした支持片１１の屈曲率が大きくなるように設定している。
【００５２】
従って、本実施例のハンガー１では、押え片１０を下降させて押え片１０を横杆７に当接した際には、支持片１１の屈曲率が大きくなるため、それにより、支持片１１のそれぞれは、押え片１０を下降する前の屈曲率に戻ろうとするためにばねとして作用して、押え片１０の両端を斜め上方側から押圧する。
【００５３】
また、本考案のハンガー１では、押え片１０と横杆７間の高さ位置を調整する際に、支持片１１によって押え片１０を押圧した際に押え片１０が上方へ浮き上がらない高さ位置としており、それにより、横杆７に当接するとともに両斜め上方から押圧されている押え片１０の位置を固定することを可能としている。
【００５４】
この状態を正面から示した図が図２であり、この状態においては、押え片１０は、横杆７に当接しているとともに、支持片１１によって両端を斜め上方から押圧されて横杆７側へ押されており、更にその状態を維持している。
【００５５】
従って、本実施例のハンガー１では、押え片１０を下降させることで、横杆７に吊るしたズボンを押え片１０で押えるとともに、この状態の押え片１０の位置を固定することができ、ズボンが横杆７からずり落ちることを防止することができる。
【００５６】
なお、本実施例においては、前記押え片１０の長さ寸法を、前記支持片１１の長さ寸法の約１．５倍に設定しており、具体的には、支持片１１の長さ寸法を約９５ｍｍ程度にして、押え片１０の長さ寸法を約１４２ｍｍ程度にし、更に、取付片１３の長さ寸法を数ｍｍにし、これにより、横杆７に吊るしたズボンを適度な圧力で固定可能としている。
【００５７】
即ち、本考案者の実験によると、押え片１０の長さをその両側に連設した支持片１１のそれぞれの長さの１．５倍程度にすると、押え片１０を下側に押圧することで下方に移動させて横杆７を押圧したときに、支持片１１の屈曲率が最適になり、押え片１０が適度な圧力で横杆７を押圧することが判明した。従って、押え片１０の長さをその両側に連設した支持片１１のそれぞれの長さの１．５倍程度にした本実施例のハンガー１では、横杆７に吊るしたズボンを、すじが付かない程度の適度な圧力で固定することが可能となる。
【００５８】
また、本実施例のハンガー１は、基体２、フック８及び押え部材９の全体を一体成型により形成しており、これにより製造コストを低くすることを可能にしている。
【００５９】
なお、前述の説明において押え片１０は長尺の板状としているが、押え片１０は必ずしも板状にする必要は無く、そのほか、丸棒状、角棒状でもよい。
【００６０】
また、その他、押え片１０を、長手方向に見た断面形状が、下部に開口した凹部を有する半円状あるいは門状になるようにし、押え片１０を下降した際に凹部内に横杆７が嵌合すようにしてもよく、これによれば、横杆７に吊るしたズボンを強固に固定してずり落ちを防止することが可能である。
【００６１】
更に、前述の実施例では、支持片１１の基端を、基体２の側部６に連設した場合を説明したが、押え部材９は基体２内に配設されてあればよい。従って、必ずしも支持片１１基端を側部６に連設する必要はなく、支持片１１の基端を支持部５あるいは横杆７に連設してもよい。
【００６２】
次に、本実施例のハンガー１の作用について説明すると、本実施例のハンガー１において、横杆７に吊るしたズボンを固定するときは、横杆７にズボンを吊るした状態で、押え片１０を下方に押して下降させて、押え片１０を横杆７に当接させる。
【００６３】
そうすると、前述したように、押え片１０の下降に伴って、支持片１１の先端部も下降するとともに、支持片１１の屈曲率が大きくなり、支持片１１のそれぞれがばねとして作用して押え片１０の両端を斜め上方側から押圧し、それにより、押え片１０は、横杆７側に押圧された状態で位置が固定され、横杆７に吊るしたズボンを押え片１０で押えて、ズボンが横杆７からずり落ちることを防止することができる。
【００６４】
このように、本実施例のハンガー１では、横杆に吊るしたズボンを押え片によって上方から押圧することとしているために、フックを用いてズボンのずり落ちを防止た従来のハンガーと異なり、ズボンにすじを付けることなく、ズボンのずり落ちを防止することが可能である。
【００６５】
そしてこのとき、押え片１０の長さを支持片１１の長さの約１．５倍程度に設定することで、より最適な圧力で、横杆７に吊るしたズボンを固定することが可能である。
【００６６】
また、本実施例のハンガー１では、全体を樹脂素材により一体成型しているために、磁石やばねを用いた従来のハンガーと比較して構造が簡単で製造コストを抑えることができる。
【００６７】
更に、本実施例のハンガー１では、横杆７の上方に配設されている板状の押え片１０によって、横杆７に吊るしたズボンにおける横杆７に当接している部分のほぼ全域を押えているために、ズボンの一方側を押えている文献５に記載のハンガーと異なり、確実にズボンを押えることが可能である。
【００６８】
なお、前述の実施例における張り出し部４は、前記中央部３の左右の端部のそれぞれに、中央部３の左右側の斜め下方に向けて傾斜させて連設した支持部５と、この支持部５の下端部に下方に向けて連設した側部６とを具備した構成としているが、その他、図５あるいは図６に記載の構成の張り出し部としてもよい。
【００６９】
例えば図５に示した張り出し部４ｂでは、中央部３の左右側のそれぞれに、左右側の水平方向に向けて支持部５を連設しており、この支持部５のそれぞれの下端に、下方に向けて側部６を連設して構成し、この側部６に前記支持片１１を連設することとしている。
【００７０】
また、図６に示した張り出し部４ｃでは、中央部３の左右側のそれぞれに、左右側の斜め下方に向けて傾斜させて支持部５を連設した構成としており、この支持部５の下方部分を側部６と兼用して、この側部６に前記支持片１１を連設することとしている。
【産業上の利用可能性】
【００７１】
本考案のプッシュストッパー付ハンガーは、ズボンを吊り下げる横杆を備えたハンガーにおいて、ズボンにすじを付けること無く、横杆に吊るしたズボンを固定してズボンがずり落ちることを防止可能としているが、横杆に固定したズボンを固定する場合に限定されず、マフラー、タオル、セーター、浴衣、ストール等、横杆に吊るすことができる衣類の全般を固定可能であり、更に、張り出し部に衣服を支持して吊るすことも可能であり、ハンガー全般に適用可能である。
【符号の説明】
【００７２】
１    プッシュストッパー付ハンガー
２    基体
２０１    縁部
３    中央部
４、４ｂ、４ｃ    張り出し部
５    支持部
６    側部
７    横杆
８    フック
９    押え部材
１０    押え片
１００１    補強用のリブ
１１    支持片
１２    第１のヒンジ部
１３    取付片
１４    第２のヒンジ部
【図１】
0003177580.tif 000003
【図２】
0003177580.tif 000004
【図３】
0003177580.tif 000005
【図４】
0003177580.tif 000006
【図５】
0003177580.tif 000007
【図６】
0003177580.tif 000008